(57)【要約】【課題】専用回路を必要とせず、精度良く簡易に位相ズレを調整可能な表示調整方法、表示装置を提供する。【解決手段】サンプリングクロックによってサンプリングした調整用の映像信号を表示画面の各画素に表示する工程と、前記調整用の映像信号によって前記各画素に表示される表示色が全て同一色となるように、前記サンプリングクロックの位相を調整する工程と、前記調整したサンプリングクロックの位相を１８０°シフトさせる工程と、を含む表示調整方法とする。【選択図】図４
2009300467.tif 000002
【特許請求の範囲】
【請求項１】
サンプリングクロックによってサンプリングした調整用の映像信号を表示画面の各画素に表示する工程と、
前記各画素に表示される表示色が全て同一色となるように、前記サンプリングクロックの位相を調整する工程と、
前記調整したサンプリングクロックの位相を１８０°シフトさせる工程と、
を含む表示調整方法。
【請求項２】
前記調整用の映像信号によって表示される画面構成は、２色の市松模様、又は縞模様である請求項１に記載の表示調整方法。
【請求項３】
前記調整用の映像信号によって表示される画面構成は、白色及び黒色の市松模様、又は縞模様である請求項２に記載の表示調整方法。
【請求項４】
サンプリングクロックによってサンプリングした調整用の映像信号を表示画面の各画素に表示する表示手段と、
前記各画素に表示される表示色が全て同一色となるように、前記サンプリングクロックの位相を調整する第１調整手段と、
前記調整したサンプリングクロックの位相を１８０°シフトさせる第２調整手段と、
を備える表示装置。
【発明の詳細な説明】
【技術分野】
【０００１】
本発明は、表示調整方法及び表示装置に関する。
【背景技術】
【０００２】
ＬＣＤ（Liquid Crystal Display）装置では、グラフィックプロセッサから出力された映像信号をサンプリングクロックによりサンプリングする。そして、ＬＣＤ装置は、サンプリングした映像信号を表示画面の各画素に配置して、表示画面に映像を表示する。
【０００３】
ここで、表示画面に表示される映像は、常に適切な信号レベルの映像信号がサンプリングされたものであるとは限らない。
通常、ジッタ等の影響によって、映像信号とサンプリングクロックとの間で位相に差（位相ズレ）が生じてしまい、映像信号を適切な信号レベルでサンプリングすることができない。この位相ズレは、ＬＣＤ装置で映像信号を表示した際に、滲みやちらつきの原因となる。従って、位相ズレを解消するような調整が必要となる。
【０００４】
図７Ａ及び図７Ｂに、映像信号とサンプリングクロックとの相互関係を示す。
なお、図７Ａ及び図７Ｂに示す相互関係において、グラフィックプロセッサから出力された映像信号は、白色及び黒色の表示色で構成される。また、映像信号は、画素ごとに信号レベルが切り替わるアナログ信号である。
【０００５】
図７Ａは、サンプリングクロックの位相が映像信号の画素の中心（以下、「最適値」という）となる位相に調整されている場合の相互関係図である。図７Ａに示すように、サンプリングクロックの位相が最適値となる位相に調整されている場合、映像信号の表示色は白色及び黒色で表示される。よって、表示画面上で滲みやちらつきは生じない。
図７Ｂは、サンプリングクロックの位相が最適値となる位相からずれている場合、つまり位相ズレが生じている場合の相互関係図である。図７Ｂに示すように、位相ズレが生じている場合、本来白色や黒色が表示される画素で灰色が表示される（クロックポイントＡ、Ｂ参照）。クロックポイントＡ又はＢ付近では、映像信号の信号レベルが一定でないため、表示画面上で滲みやちらつきが生じる。
【０００６】
現在まで、上記の位相ズレを解消するため、ＬＣＤ装置の製造工程においてサンプリングクロックの位相を調整する作業が行われている。
また、特許文献１によれば、サンプリングクロックの位相をシフトさせつつ映像信号の信号レベルを検出し、検出結果を比較することで最適値をサンプリングする表示装置が開示されている。
【特許文献１】特開平７−２６１７０６号公報
【発明の開示】
【発明が解決しようとする課題】
【０００７】
しかし、ＬＣＤ装置の製造工程における調整は目視による調整のため、サンプリングクロックの位相を精度良く最適値に調整することは困難となる。
また、特許文献１の表示装置では、ＡＤ値比較回路等の専用回路が必要となり、回路構成の複雑化や製品コストの増加を招く。
【０００８】
本発明の目的は、専用回路を必要とせず、精度良く簡易に位相ズレを調整可能な表示調整方法及び表示装置を提供することである。
【課題を解決するための手段】
【０００９】
請求項１に記載の発明によれば、
サンプリングクロックによってサンプリングした調整用の映像信号を表示画面の各画素に表示する工程と、
前記各画素に表示される表示色が全て同一色となるように、前記サンプリングクロックの位相を調整する工程と、
前記調整したサンプリングクロックの位相を１８０°シフトさせる工程と、
を含む表示調整方法が提供される。
【００１０】
請求項２に記載の発明によれば、請求項１に記載の発明において、
前記調整用の映像信号によって表示される画面構成は、２色の市松模様、又は縞模様である表示調整方法が提供される。
【００１１】
請求項３に記載の発明によれば、請求項２に記載の発明において、
前記調整用の映像信号によって表示される画面構成は、白色及び黒色の市松模様、又は縞模様である表示調整方法が提供される。
【００１２】
請求項４に記載の発明によれば、
サンプリングクロックによってサンプリングした調整用の映像信号を表示画面の各画素に表示する表示手段と、
前記各画素に表示される表示色が全て同一色となるように、前記サンプリングクロックの位相を調整する第１調整手段と、
前記調整したサンプリングクロックの位相を１８０°シフトさせる第２調整手段と、
を備える表示装置が提供される。
【発明の効果】
【００１３】
本発明によれば、専用回路を必要とせず、精度良く簡易にサンプリングクロックの位相を調整することができる。よって、製品コストを低廉に抑えることができ、かつ、位相ズレを調整するための時間を短縮化することができる。
【発明を実施するための最良の形態】
【００１４】
以下、本実施形態における表示調整方法について、図面を用いて詳細に説明する。
まず、図１に、ＬＣＤ装置１００の内部構成を示す。
ＬＣＤ装置１００は、ＬＣＤ用映像信号処理回路１０、ＬＣＤパネル２０、ＬＣＤ制御回路３０、ＰＬＬ（Phase Locked Loop）回路４０等を備えて構成される。
【００１５】
ＬＣＤ用映像信号処理回路１０は、グラフィックプロセッサ（図示省略）から出力された映像信号をＬＣＤパネル２０に表示させる映像信号に変換する処理等を行う。そして、ＬＣＤ用映像信号処理回路１０は、変換処理済みの映像信号Ｓ１をＬＣＤパネル２０に出力する。
【００１６】
ＬＣＤパネル２０は、液晶を用いた表示パネルを備え、ＬＣＤ用映像信号処理回路１０から出力された映像信号Ｓ１を入力する。また、ＬＣＤパネル２０は、ＬＣＤ制御回路３０から出力された表示制御信号Ｓ２及びサンプリングクロックＳ３を入力する。
ＬＣＤパネル２０は、入力した表示制御信号Ｓ２及びサンプリングクロックＳ３に基づいて、映像信号Ｓ１を表示パネルの各画素に対応させて表示する。表示パネルの画素構成は製品ごとに異なり、例えばＶＧＡ（Video Graphics Array）やＱＶＧＡ（Quarter VGA）等がある。
【００１７】
ＬＣＤ制御回路３０は、水平同期信号（ＨＳＹＮＣ）及び垂直同期信号（ＶＳＹＮＣ）を入力し、ＬＣＤパネル２０に表示制御信号Ｓ２及びサンプリングクロックＳ３を出力する。
また、ＬＣＤ制御回路３０は、ＰＬＬ回路４０を備えて構成される。
【００１８】
図２に、ＰＬＬ回路４０の内部構成を示す。
ＰＬＬ回路４０は、位相比較器４０１、積分器４０２、加算器４０３、ＶＣＯ（Voltage Controller Oscillator）４０４、６１０分周回路４０５を備えて構成される。
位相比較器４０１は、ＨＳＹＮＣ及び６１０分周回路４０５から出力された分周信号を入力し、入力した２つの信号の位相を比較して、位相誤差を算出する。位相比較器４０１は、算出した位相誤差信号を積分器４０２に出力する。
積分器４０２は、位相誤差信号を入力し、電圧レベルを一定にして加算器４０３に出力する。
加算器４０３は、位相誤差信号及び位相調整信号を入力し、入力した信号を加算してＶＣＯ４０４に出力する。なお、位相調整信号は、サンプリングクロックの位相を可変する信号である。位相調整信号の電圧レベルが可変されることでサンプリングクロックの位相が可変される。
ＶＣＯ４０４は、加算器４０３から出力された信号を入力し、ＨＳＹＮＣの６１０倍のクロック（サンプリングクロックＳ３）を生成する。
６１０分周回路４０５は、ＶＣＯから出力された信号を入力し、入力した信号の周波数を１／６１０倍にして分周信号を生成する。
【００１９】
図３に、本実施形態において用いる調整用の映像信号Ｓ１の表示色及び画面構成を示す。
図３Ａは、白色及び黒色が１画素おきに繰り返す市松模様の映像信号Ｓ１の画面構成図である。また、図３Ｂは、主走査方向において、白色及び黒色が１画素おきに繰り返す縦縞模様の映像信号Ｓ１の画面構成図である。
【００２０】
図４に、調整用の映像信号Ｓ１とサンプリングクロックとの相互関係を示す。
本実施形態における表示調整方法では、図３に示した調整用の映像信号Ｓ１をＬＣＤパネル２０に表示させながら、白色及び黒色が全て同色となるようにサンプリングクロックの位相を調整する。具体的には、図４に示すように、最適値の５０％となる信号レベルの映像信号Ｓ１をサンプリングするようにサンプリングクロックの位相を調整する（クロックポイントＣ、Ｄ参照）。
【００２１】
図５に、調整済みの映像信号Ｓ１によって表示される画面構成を示す。
ＬＣＤパネル２０には、全ての画素において、白色と黒色との境界色、つまり灰色が表示される。なお、白色又は黒色の各画素において、信号レベルが最適値の５０％から多少ずれた値でサンプリングされた場合、白色の画素ではより白色に近い灰色となり、黒色の画素ではより黒色に近い灰色となる。つまり、最適値の５０％から僅かでもずれてサンプリングされたとき、白色の画素と黒色の画素とで表示される表示色の違いは、目視により容易に認識することが可能である。
【００２２】
図６に、調整用の映像信号Ｓ１と１８０°シフトさせたサンプリングクロックとの相互関係を示す。
図６に示すように、図４に示した状態からサンプリングクロックの位相を１８０°シフトさせると、サンプリングクロックは、調整用の映像信号Ｓ１の最適値をサンプリングする。よって、図６に示す相関関係に従って表示される調整用の映像信号Ｓ１は、上記した図３Ａ、Ｂに示す表示色及び画面構成となる。
【００２３】
以上のように、本実施形態によれば、調整用の映像信号Ｓ１を表示させながら、全ての画素において表示色が同一となるように、サンプリングクロックの位相を調整する。その後、サンプリングクロックの位相を１８０°シフトさせる。このような手順を経ることで、精度良く、かつ、簡易に表示調整を行うことができる。
【００２４】
また、調整用の映像信号Ｓ１によって表示される画面は、２色の市松模様又は縦縞模様であることが望ましい。全ての画素において表示色が同一となるようにサンプリングクロックの位相を調整する際、市松模様又は縦縞模様であれば、同一色か否かの判別が容易となる。
【００２５】
また、２色の市松模様又は縦縞模様は、白色及び黒色で構成されていることが望ましい。全ての画素において表示色が同一となるようにサンプリングクロックの位相を調整する際、相対する明度である白色及び黒色を用いることで、同一色か否かの判別が容易となる。
【図面の簡単な説明】
【００２６】
【図１】ＬＣＤ装置の内部構成を示す図である。
【図２】ＰＬＬ回路の内部構成を示す図である。
【図３Ａ】調整用の映像信号の画面構成を示す図である。
【図３Ｂ】調整用の映像信号の画面構成を示す図である。
【図４】調整用の映像信号とサンプリングクロックとの相互関係を示す図である。
【図５】調整済みの映像信号の画面構成を示す図である。
【図６】調整用の映像信号と１８０°シフトさせたサンプリングクロックとの相互関係図を示す図である。
【図７Ａ】映像信号とサンプリングクロックとの相互関係図を示す図である。
【図７Ｂ】映像信号とサンプリングクロックとの相互関係図を示す図である。
【符号の説明】
【００２７】
１００  ＬＣＤ装置
１０    ＬＣＤ用映像信号処理回路
２０    ＬＣＤパネル
３０    ＬＣＤ制御回路
４０    ＰＬＬ回路
Ｓ１    映像信号
Ｓ２    表示制御信号
Ｓ３    サンプリングクロック
【図１】
2009300467.tif 000003
【図２】
2009300467.tif 000004
【図３Ａ】
2009300467.tif 000005
【図３Ｂ】
2009300467.tif 000006
【図４】
2009300467.tif 000007
【図５】
2009300467.tif 000008
【図６】
2009300467.tif 000009
【図７Ａ】
2009300467.tif 000010
【図７Ｂ】
2009300467.tif 000011